(57)【要約】【課題】２つの撮像レンズ備えた３Ｄ撮影装置に置いて、各撮像レンズ光路を覆う閉位置と撮像レンズの光路から退避する開位置との間で移動可能な光路遮蔽部材を効率的に配置することで小型化を図れる３Ｄ撮影装置を提供すること。【解決手段】２つの撮像レンズと、各撮像レンズの光路を覆う閉位置と撮像レンズの光路から退避する開位置との間で移動可能な光路遮蔽部材と、を備えた撮像装置において、各光路遮蔽部材は各開位置において、少なくとも一部が略光軸方向に重なる構成とした。よって、光路遮蔽部材の開位置におけるスペースを小さくすることが出来、撮像装置の小型化が可能となる。【選択図】図４
2016020976.tif 000002
【特許請求の範囲】
【請求項１】
２つの撮像レンズと、各撮像レンズの光路を覆う閉位置と撮像レンズの光路から退避する開位置との間で移動可能な光路遮蔽部材と、を備えた撮像装置において、各光路遮蔽部材は各開位置において、少なくとも一部が光軸方向に重なることを特徴とする撮像装置。
【請求項２】
前記光路遮蔽部材は前記撮像レンズを保護するためのレンズバリアであることを特徴とする請求項１に記載の撮像装置。
【請求項３】
前記光路遮蔽部材は前記撮像レンズの光路を開閉するためのシャッターであることを特徴とする請求項１に記載の撮像装置。
【請求項４】
前記光路遮蔽部材は前記撮像レンズの光量を減光するための減光フィルターであることを特徴とする請求項１に記載の撮像装置。
【発明の詳細な説明】
【技術分野】
【０００１】
本発明は、ビデオカメラやデジタルカメラ等の撮像装置に関し、特に撮影対象の視差画像を撮影するための３Ｄ撮像装置に関するものである。
【背景技術】
【０００２】
近年、３Ｄ画像を表示・鑑賞させるシステムとしては、例えば、左右の視差画像をモニター上に表示するとともに、この表示画像を液晶シャッタメガネをかけた鑑賞者に鑑賞させるものがある。液晶シャッタメガネの左右にはそれぞれ液晶シャッタが含まれており、これら液晶シャッタを交互に映像信号と同期させて開閉することで立体的な画像を鑑賞することができる。
【０００３】
より具体的には、観察するモニター上に右眼用の映像が表示されている間は右眼用の液晶シャッタを透過状態、左眼用の液晶シャッタを非透過状態にし、モニター上に左眼用の映像が表示されている間は左眼用の液晶シャッタを透過状態、右眼用の液晶シャッタを非透過状態にする。これにより、モニター上には右眼用の映像と左眼用の映像が交互に表示されても、観察者は、常に右眼によって右眼用の映像を、左眼によって左眼用の映像が見えるようになる。
【０００４】
そして、例えば２台の撮像装置を眼の間隔分だけ離して同一の被写体を撮影するようにして、右のカメラからの映像信号を右眼用の画像とし、左のカメラからの映像信号を左眼用の画像としてモニター上に交互に表示させると、観察者は液晶シャッタメガネを通してその画像を立体的に鑑賞することができる。
【０００５】
このようにして奥行きのある映像を観察者に提供することで、立体ゲームや立体テレビ等の娯楽機器への展開ばかりでなく、フライトシュミレータや手術補助機器などの教育、医療機器への展開が考えられており、ヘッドマウントディスプレイやレンチキュラーシート等、様々な方法による立体映像の鑑賞装置を提供することができる。
【０００６】
一方、画像を入力する撮像装置側についても様々な提案が行われており、上述したような２台の撮像装置を並べて使用する方法ばかりでなく、１台の撮像装置で左右の画像を交互に取り込む撮像装置も提案されている（特許文献１参照）。
【先行技術文献】
【特許文献】
【０００７】
【特許文献１】特開２００５−２０２０３７号公報
【発明の概要】
【発明が解決しようとする課題】
【０００８】
しかしながら、１台の撮像装置で左右の画像を交互に取り込む撮像装置においては、２台の撮像装置を用いる場合に比べれば小型化を図れるものの、撮影光学系として２つの撮像レンズが必要であることから、大型化し易い傾向があるといった問題があった。例えば、撮像装置の不使用時において、撮影レンズ外面へのほこり付着や傷付きを防止するといった保護目的として、レンズバリアを設ける場合、レンズバリアが撮像レンズの前面側を全て覆うような大きさと形状をもって形成されるため、撮像レンズの前面から退避する際に要するスペースが、通常の撮像レンズが１つタイプに比べて多く必要で、撮像装置全体の小型化を図るうえで障害となっている。
【０００９】
そこで、本発明は、上記のような問題を解決するためになされたものであり、２つの撮像レンズを備えた３Ｄ撮影装置に置いて、各撮像レンズを保護するレンズバリアを効率的に配置することで小型化を図れる３Ｄ撮影装置を提供することを目的とする。
【課題を解決するための手段】
【００１０】
上記の目的を達成するために、請求項１に記載の発明は、撮像装置において、２つの撮像レンズと、各撮像レンズの光路を覆う閉位置と撮像レンズの光路から退避する開位置との間で移動可能な光路遮蔽部材と、を備えた撮像装置において、各光路遮蔽部材は各開位置において、少なくとも一部が略光軸方向に重なることを特徴とする。
【００１１】
請求項２に記載の発明は、請求項１に記載の撮像装置において、前記光路遮蔽部材は前記撮像レンズを保護するためのレンズバリアであることを特徴とした。
【００１２】
請求項３に記載の発明は、請求項１に記載の撮像装置において、前記光路遮蔽部材は前記撮像レンズの光路を開閉するためのシャッターであることを特徴とする。
【００１３】
請求項３に記載の発明は、請求項１に記載の撮像装置において、前記光路遮蔽部材は前記撮像レンズの光量を減光するための減光フィルターであることを特徴とする。
【発明の効果】
【００１４】
本発明によれば、２つの撮像レンズと、各撮像レンズの光路を覆う閉位置と撮像レンズの光路から退避する開位置との間で移動可能な光路遮蔽部材と、を備えた撮像装置において、各光路遮蔽部材は各開位置において、少なくとも一部が略光軸方向に重なる構成とした。よって、光路遮蔽部材の開位置におけるスペースを小さくすることが出来、撮像装置の小型化が可能となる。
【図面の簡単な説明】
【００１５】
【図１】本発明の第１の実施形態におけるデジタルカメラの正面方向から見た外観斜視図である。
【図２】本発明の第１の実施形態におけるデジタルカメラの背面方向から見た外観斜視図である。
【図３】本発明の第１の実施形態におけるレンズバリア機構のレンズバリア閉状態を正面方向から見た透視図及び透視斜視図である。
【図４】本発明の第１の実施形態におけるレンズバリア機構のレンズバリア開状態を正面方向から見た透視図及び透視斜視図である。
【図５】本発明の第１の実施形態におけるレンズバリア機構の分解斜視図である。
【図６】本発明の第２の実施形態におけるレンズバリア機構のレンズバリア閉状態を正面方向から見た透視図及び透視斜視図である。
【図７】本発明の第２の実施形態におけるレンズバリア機構のレンズバリア開状態を正面方向から見た透視図及び透視斜視図である。
【発明を実施するための形態】
【００１６】
以下、本発明の第１の実施形態における３Ｄ撮像装置をデジタルカメラに適用した場合について、図面を参照しながら説明する。
【００１７】
図１は、本発明の第１の実施形態におけるデジタルカメラの正面方向から見た外観斜視図、図２は背面方向から見た外観斜視図である。
【００１８】
図１及び図２において、１はデジタルカメラ本体であり、ＣＣＤやＣＭＯＳ等のイメージセンサを含む撮像レンズを略眼幅離して２つ有し、同一被写体を左右二つの視点から同時に撮影できるように構成されている。
【００１９】
２は、暗い被写体を撮影する場合や逆光時などに必要に応じてフラッシュ光を照射するフラッシュ発光部である。
【００２０】
３及び４は、外装カバーに設けられた撮像レンズが露出する開口部であり、撮影時以外はレンズバリアが撮像レンズ用開口部３，４を塞ぐことで、撮像レンズに傷がつかないように保護する。
【００２１】
５及び６は、外装カバーに設けられたマイクロフォン用穴部であり、このマイクロフォン用穴部５，６を通してマイクロフォンに音声が入力される。
【００２２】
７は電源ボタンであり、デジタルカメラ本体１の電源ＯＮ／ＯＦＦの切り替えを行う。
【００２３】
８は、半押しと全押し操作が可能な２段階スイッチより構成された撮影ボタンである。静止画撮影時、撮影ボタン８を半押しすると、露出、フォーカス、ホワイトバランス等の撮影準備処理を行い、全押しすると、撮影処理を行う。また、動画撮影時、撮影ボタン８を全押しすると、動画撮影を開始し、再度全押しすると、動画撮影を終了する。
【００２４】
９は、ＬＣＤ等で構成される表示部であり、撮影時には、撮像レンズで撮像された画像がスルー表示され電子ファインダとして利用される。また表示部９は、撮影された画像を再生したり、メニュー設定画面を表示する。
【００２５】
１０は、撮像レンズの撮影画角を変更するためのズームボタンであり、テレ側へのズームを指示するズームテレボタンと、ワイド側へのズームを指示するズームワイドボタンとで構成される。
【００２６】
１１は、メニュー設定画面を表示部９に表示するためのメニューボタンである。メニュー設定画面では、例えば、露出値、色合い、ＩＳＯ感度、記録画素数等の画質調整や測光方式の切り替え等の設定項目が表示される。
【００２７】
１２は、上下左右４方向に押圧操作可能な十字ボタンであり、撮影機能設定の機能が割り当てられる。例えば、左ボタンにマクロ機能のＯＮ／ＯＦＦ機能が割り当てられ、右ボタンにフラッシュモードのＯＮ／ＯＦＦ機能が割り当てられ、上ボタンにセルフタイマーモードのＯＮ／ＯＦＦ機能が割り当てられ、下ボタンにオンスクリーンディスプレイのＯＮ／ＯＦＦ機能が割り当てられる。また、メニューボタン１２により、メニュー設定画面が表示されると、表示部９に表示された選択項目を各ボタンの方向に移動させることが可能である。
【００２８】
１３は、メニュー設定画面の選択内容を確定するための確定ボタンである。
【００２９】
１４は、モード切替ツマミであり、撮影モードと再生モードとを切り替える
次に、本発明の第１の実施形態の特徴とする左右２つの撮像レンズを保護するレンズバリアの構成について、図を参照しながら説明する。
【００３０】
図３（ａ）及び図３（ｂ）は、本発明の第１の実施形態におけるレンズバリア機構のレンズバリア閉状態を正面方向から見た透視図及び透視斜視図、図４（ａ）及び図４（ｂ）は、レンズバリア機構のレンズバリア開状態を正面方向から見た透視図及び透視斜視図、図５（ａ）及び図５（ｂ）は、レンズバリア機構の分解斜視図である。
【００３１】
これらの図において、１５及び１６は、第１撮像レンズ及び第２撮像レンズであり、略眼幅離して配置される。
【００３２】
１７及び１８は、非撮影時に第１撮像レンズ１５及び第２撮像レンズ１６を保護するための、第１レンズバリア及び第２レンズバリアである。
【００３３】
１９は、後述する第１レンズバリア１７及び第２レンズバリア１８の駆動部品が取り付けられるベースプレートである。ベースプレート１９には、第１レンズバリア１７及び第２レンズバリア１８がレンズバリア開位置で干渉しないように、第１レンズバリア１７と第２レンズバリア１８の各駆動部品の取付部に、光軸方向にレンズバリアの厚み以上の段差が設けられている。
【００３４】
２０及び２１は、第１レンズバリア１７及び第２レンズバリア１８をそれぞれ駆動させるためのＤＣモータ等のモータである。モータ２０，２１は、ベースプレート１９にモータ止めビス２２ａ，２２ｂ，２２ｃ，２２ｄにより固定される。
【００３５】
２３及び２４は、モータギアであり、抜け止め用の止め輪２５ａ，２５ｂによりモータ２０，２１の駆動軸２０ａ，２１ａに嵌合連結される。モータギア２３，２４は、それぞれレンズバリア駆動ギア２６，２７と噛み合っており、モータ２０，２１の駆動力は、モータギア２３，２４を介してそれぞれレンズバリア駆動ギア２６，２７に伝達される。レンズバリア駆動ギア２６，２７は、レンズバリア駆動アーム２８，２９に設けられた中空軸２８ａ，２９ａに軸支され、レンズバリア駆動アーム２８，２９に設けられた中空軸２８ａ，２９ａが、ベースプレート１９に設けられた固定軸１９ａ，１９ｂにそれぞれ軸支されることで、固定軸１９ａ，１９ｂを中心にそれぞれ回転可能となっている。
【００３６】
また、レンズバリア駆動ギア２６，２７に設けられた溶着ボス２６ａ，２６ｂ，２７ａ，２７ｂが、レンズバリア位置検出用接点端子３０，３１に設けられた穴３０ａ，３０ｂ，３１ａ，３１ｂに嵌合された状態で溶着固定されることで、レンズバリア駆動ギア２６，２７とレンズバリア位置検出用接点端子３０，３１は一体となって回転動作が可能となる。
【００３７】
レンズバリア位置検出用接点端子３０，３１は、レンズバリア位置検出用ＦＰＣ３２に設けられた所定の導体パターン上を摺動することにより、第１レンズバリア１７と第２レンズバリア１８のレンズバリア閉位置及びレンズバリア開位置に対応するレンズバリア駆動ギア２６，２７の位置を検出する。
【００３８】
また、レンズバリア駆動ギア２６，２７とレンズバリア駆動アーム２８，２９との間には、トーションスプリング３３，３４が設けられている。トーションスプリング３３，３４は、レンズバリア駆動ギア２６，２７に設けられた軸２６ｃ，２７ｃに挿通すると共に、トーションスプリング３３，３４の腕部をレンズバリア駆動ギア２６，２７に設けられた突起部２６ｄ，２７ｄに挟みこむことで、レンズバリア駆動ギア２６，２７と一体となって回転する。
【００３９】
また、レンズバリア駆動アーム２８，２９の連結片２８ｂ，２９ｂとトーションスプリング３３，３４の腕部が当接することで、レンズバリア駆動ギア２６，２７の回転がレンズバリア駆動アーム２８，２９に伝達される。
【００４０】
第１レンズバリア１７及び第２レンズバリア１８は、回動支持穴１７ａ，１８ａがベースプレート１９に設けられた固定軸１９ａ，１９ｂに回転可能に軸支されると共に、止め輪３５ａ，３５ｂにより抜け止めされる。また、レンズバリア駆動アーム２８，２９の先端部には長穴２８ｃ，２９ｃが設けられており、第１レンズバリア１７及び第２レンズバリア１８に設けられた係合軸１７ｂ，１８ｂに嵌合するすることで、レンズバリア駆動アーム２８，２９と一体となって第１レンズバリア１７及び第２レンズバリア１８がそれぞれ回動する。
【００４１】
次に、第１レンズバリア１７及び第２レンズバリア１８の開閉動作について説明する。
【００４２】
図３（ａ）及び図３（ｂ）は、電源ＯＦＦ時に第１レンズバリア１７及び第２レンズバリア１８が撮像レンズ用開口３，４を塞いで第１撮像レンズ１５及び第２撮像レンズ１６を保護するレンズバリア閉位置にある状態である。この状態から、電源ボタン７が押圧され撮影モードに移行すると、モータ２０及び２１がそれぞれ駆動し、モータギア２３及び２４を介してレンズバリア駆動ギア２６及び２７をレンズバリア位置検出用接点端子３０及び３１がレンズバリア開位置を検出する位置まで回動させる。この時、第１レンズバリア１７及び第２レンズバリア１８は、トーションスプリング３３，３４及びレンズバリア駆動アーム２８，２９をそれぞれ介して、図４（ａ）及び図４（ｂ）に示すように、撮像レンズ用開口３，４から第１撮像レンズ１５及び第２撮像レンズ１６を露出させるレンズバリア開位置において、第１レンズバリア１７と第２レンズバリア１８の一部が略光軸方向に重なるように移動する。
【００４３】
このように、本発明の第１の実施形態では、同一被写体を左右二つの視点から同時に撮影する２つの撮像レンズの各レンズバリアを、レンズバリア開位置において、略光軸方向に重なるように回転移動することにより、レンズバリア開状態における退避スペースを小さくすることが出来、デジタルカメラ本体の小型化が可能となる。
【００４４】
本発明の第１の実施形態では、第１レンズバリアと第２レンズバリアをレンズバリア閉位置からレンズバリア開位置まで回転動作させることでレンズバリア開位置において、第１レンズバリアと第２レンズバリアの一部を略光軸方向に重なるように移動したが、これに限るものではない。
【００４５】
図６（ａ）及び図６（ｂ）は、本発明の第２の実施形態におけるレンズバリア機構のレンズバリア閉状態を正面方向から見た透視図及び透視斜視図、図７（ａ）及び図７（ｂ）は、レンズバリア機構のレンズバリア開状態を正面方向から見た透視図及び透視斜視図である。
【００４６】
３６及び３７は、非撮影時に第１撮像レンズ１５及び第２撮像レンズ１６を保護するための、第１レンズバリア及び第２レンズバリアである。第１レンズバリア３６及び第２レンズバリア３７は、レンズバリア開位置で干渉しないように、光軸方向にレンズバリアの厚み以上ずらして配置されている。
【００４７】
図６（ａ）及び図６（ｂ）は、電源ＯＦＦ時に第１レンズバリア３６及び第２レンズバリア３８が撮像レンズ用開口３，４を塞いで第１撮像レンズ１５及び第２撮像レンズ１６を保護するレンズバリア閉位置にある状態である。この状態から、電源ボタン７が押圧され撮影モードに移行すると、モータ２０及び２１がそれぞれ駆動し、モータギア２３及び２４を介して、第１レンズバリア３６及び第２レンズバリア３７の一端に設けらたラック３６ａ，３７ａに駆動力が伝達されることで、レンズバリア閉位置から第１レンズバリア３６と第２レンズバリア３７の一部が略光軸方向に重なるレンズバリア開位置までスライド移動する。
【００４８】
このように、本発明の第２の実施形態では、同一被写体を左右二つの視点から同時に撮影する２つの撮像レンズの各レンズバリアを、レンズバリア開位置において、略光軸方向に重なるようにスライド移動することにより、レンズバリア開状態における退避スペースを小さくすることが出来、デジタルカメラ本体の小型化が可能となる。
【００４９】
本発明の実施形態では、各撮像レンズの光路を覆う閉位置にて撮像レンズを保護するレンズバリアについて説明したが、これに限るものではなく、撮像レンズの光路を開閉するシャッターや撮像レンズの光路を覆うことで光量を減光する減光フィルターであっても良い。
【符号の説明】
【００５０】
１  デジタルカメラ本体、２  フラッシュ発光部、３，４  レンズ用開口部、
５，６  マイクロフォン用穴部、７  電源ボタン、８  撮影ボタン、９  表示部、
１０  表示部、１１  メニューボタン、１２  十字ボタン、１３  確定ボタン、
１４  モード切替ツマミ、１５  第１撮像レンズ、１６  第２撮像レンズ、
１７  第１の実施形態における第１レンズバリア、
１８  第１の実施形態における第２レンズバリア、１９  ベースプレート、
２０，２１  モータ、２２ａ，２２ｂ，２２ｃ，２２ｄ  モータ止めビス、
２３，２４  モータギア、２５ａ，２５ｂ  止め輪、
２６，２７  レンズバリア駆動ギア、２８，２９  レンズバリア駆動アーム、
３０，３１  レンズバリア位置検出用接点端子、３２  レンズバリア位置検出用ＦＰＣ、
３３，３４  トーションスプリング、３５ａ，３５ｂ  止め輪、
３６  第２の実施形態における第１レンズバリア、
３７  第２の実施形態における第２レンズバリア
【図１】
2016020976.tif 000003
【図２】
2016020976.tif 000004
【図３】
2016020976.tif 000005
【図４】
2016020976.tif 000006
【図５】
2016020976.tif 000007
【図６】
2016020976.tif 000008
【図７】
2016020976.tif 000009